(57)【特許請求の範囲】
【請求項１】
電源装置から複数の負荷への電力の供給を制御する電力供給制御装置であって、
前記電源装置に前記複数の負荷を並列に接続するための回路と、
前記回路に設けられ、前記電源装置と前記複数の負荷との間の接続、遮断をそれぞれ切り換える複数の開閉器と、
前記複数の負荷のうちの一部を優先負荷とし、残部を非優先負荷とし、前記優先負荷に対してのみ優先順位を設定する優先順位設定部と、
前記複数の負荷のうち、前記電源装置に接続されている負荷の消費電力の合計の変化を検出する電力検出部と、
前記電力検出部の検出結果により、前記電源装置に接続されている負荷の消費電力の合計が減少した場合には、前記優先順位に従って１つの優先負荷を選択し、当該選択された優先負荷と接続対象として特定されている優先負荷と前記電源装置に接続されている負荷との消費電力の合計が、前記電源装置の出力能力に応じて設定された出力上限値以下である場合には、当該選択された優先負荷を接続対象として特定し、当該選択された優先負荷と接続対象として特定されている優先負荷と前記電源装置に接続されている負荷との消費電力の合計が前記出力上限値以下でない場合には、当該選択された優先負荷を接続対象として特定しないといった優先負荷特定処理を、前記電源装置から遮断されているすべての優先負荷に対して繰り返し行う優先負荷特定部と、
前記優先負荷特定部により前記電源装置から遮断されているすべての優先負荷に対して前記優先負荷特定処理が行われた後、前記電源装置から遮断されている非優先負荷の中から消費電力の小さい順に１つの非優先負荷を選択し、当該選択された非優先負荷と接続対象として特定されている負荷と前記電源装置に接続されている負荷との消費電力の合計が前記出力上限値以下である限り、当該選択された非優先負荷を接続対象として特定する非優先負荷特定処理を繰り返し行う非優先負荷特定部と、
前記優先負荷特定部および前記非優先負荷特定部により接続対象としてそれぞれ特定された負荷に対応する前記開閉器を切換制御し、当該接続対象として特定された負荷を前記電源装置に接続する切換制御部とを備えていることを特徴とする電力供給制御装置。
【請求項２】
前記電力検出部の検出結果により、前記電源装置に接続されている負荷の消費電力の合計が増加して前記出力上限値を超えた場合であって、前記電源装置に接続されている負荷に前記非優先負荷が含まれている場合には、前記非優先負荷特定部は、前記電源装置に接続されている非優先負荷のうち、消費電力の最も大きい非優先負荷を遮断対象として特定し、
前記切換制御部は、前記非優先負荷特定部により遮断対象として特定された非優先負荷に対応する前記開閉器を切換制御し、当該遮断対象として特定された非優先負荷を前記電源装置から遮断することを特徴とする請求項１に記載の電力供給制御装置。
【請求項３】
前記電力検出部の検出結果により、前記電源装置に接続されている負荷の消費電力の合計が増加して前記出力上限値を超えた場合であって、前記電源装置に接続されている負荷が前記優先負荷のみである場合には、前記優先負荷特定部は、前記電源装置に接続されている優先負荷のうち、前記優先順位の最も低い優先負荷を遮断対象として特定し、
前記切換制御部は、前記優先負荷特定部により遮断対象として特定された優先負荷に対応する前記開閉器を切換制御し、当該遮断対象として特定された優先負荷を前記電源装置から遮断することを特徴とする請求項１または２に記載の電力供給制御装置。
【請求項４】
前記切換制御部により前記電源装置から負荷が遮断されたことによって前記電源装置に接続された負荷の消費電力の合計が前記出力上限値以下となったとき、前記優先負荷特定部および前記非優先負荷特定部は前記優先負荷特定処理および前記非優先負荷特定処理をそれぞれ実行し、前記切換制御部は当該優先負荷特定処理および当該非優先負荷特定処理により接続対象としてそれぞれ特定された負荷を前記電源装置に接続することを特徴とする請求項３に記載の電力供給制御装置。
【請求項５】
前記各負荷の消費電力を計測する計測部と、
前記計測部により計測された前記各負荷の消費電力の計測値を記憶する記憶部とを備え、
前記優先負荷特定部および前記非優先負荷特定部は、前記計測部により計測されて前記記憶部に記憶された前記各負荷の消費電力の計測値を用いて前記消費電力の合計をそれぞれ計算することを特徴とする請求項１ないし４のいずれかに記載の電力供給制御装置。
【発明の詳細な説明】
【技術分野】
【０００１】
本発明は、電源装置から各負荷への電力の供給を制御する電力供給制御装置に関する。
【背景技術】
【０００２】
近年、需要家において、例えば電気自動車の蓄電池または発電装置等の電源装置を用い、停電等により電力系統からの電力供給が停止した場合に、電源装置により負荷への電力供給を行うシステムが普及しつつある。【０００３】
このようなシステムにおいて、電力系統から得られる電力と比較し、電源装置から得られる電力は小さいため、停電前には、すべての負荷を稼働するのに十分な電力が電力系統から得られていたものの、停電時には、電源装置から、すべての負荷を稼働するのに十分な電力が得られなくなることがある。【０００４】
この点を考慮し、停電時に電源装置から電力を供給する負荷を制限する技術が知られている。例えば、特開２００７−２３６０２３号公報に記載された電力供給システムは、住宅が有する複数の負荷を負荷群ＬＡと負荷群ＬＢに分け、停電時には負荷群ＬＢのみにバッテリから電力を供給する。また、この電力供給システムは、負荷群ＬＢ中に含まれる複数の負荷に優先順位を定めると共に、バッテリの残存容量と各負荷の推定電力消費量とに基づいて電力余力を推定し、電力余力が小さいときには、優先順位の高い負荷のみに電力を供給する。【０００５】
また、特開２００８−１１６１２号公報に記載された制御システムは、発電機ユニットの出力が予測電力需要よりも低い場合には、優先順位の高い電力負荷から順に発電機ユニットによる電力供給の対象とし、総予測電力需要が発電機ユニット等の合計出力を超えない範囲で電力負荷を選択する。
【先行技術文献】
【特許文献】
【０００６】
【特許文献１】特開２００７−２３６０２３号公報
【特許文献２】特開２００８−１１６１２号公報
【発明の概要】
【発明が解決しようとする課題】
【０００７】
ところで、停電中において電源装置から供給される電力により負荷を作動させている間、負荷の作動状態によって負荷の消費電力が減少することがある。このような負荷の消費電力の減少によって電源装置に余力が生じた場合には、電源装置からの電力をできる限り有効に利用し、またはできる限り多くの負荷を作動させるために、その余力の範囲内で、電源装置に接続する負荷を追加することが望ましい。【０００８】
しかしながら、単純に優先順位に従って負荷を電源装置に追加接続するだけでは、次に述べるように、電源装置に追加接続される負荷が必要以上に制限されるという問題がある。【０００９】
例えば、負荷Ｍ１、Ｍ２、Ｍ３、Ｍ４があり、この順番で優先順位が設定されたとする。そして、停電発生時には、電源装置の出力能力と各負荷Ｍ１〜Ｍ４の消費電力との比較により、電源装置の出力能力の範囲内で電力を供給可能な負荷が負荷Ｍ１およびＭ２であったため、負荷Ｍ１およびＭ２のみが電源装置に接続されたとする。このような状態において、停電が継続している間、負荷Ｍ１またはＭ２の消費電力が減少し、電源装置に余力が生じた場合、単純に優先順位に従って負荷を電源装置に追加接続するとすれば、追加接続の対象となる負荷は負荷Ｍ３である。ところが、負荷Ｍ３の消費電力が電源装置の余力の範囲を超える場合には、負荷Ｍ３は接続されない。そして、この場合、負荷Ｍ３よりも優先順位の低い負荷Ｍ４も接続されない。しかしながら、負荷Ｍ３の消費電力が電源装置の余力の範囲を超えていても、負荷Ｍ４の消費電力が電源装置の余力の範囲内である場合が考えられる。このような場合には、電源装置からの電力の有効利用を促進させ、またはできる限り多くの負荷を作動させて利用者の利便性を高めるという観点から、負荷Ｍ４を電源装置に追加接続することが望ましい。【００１０】
また、優先順位の設定された負荷と、優先順位の設定されていない負荷が存在する場合がある。このような場合において、停電継続中に負荷の消費電力が減少して電源装置に余力が生じても、単純に優先順位に従って負荷を電源装置に追加接続するのみでは、優先順位の設定されていない負荷が電源装置に接続されることはない。しかしながら、優先順位の設定されていない負荷の中に、消費電力が電源装置の余力の範囲内である負荷が存在する場合が考えられる。このような場合には、上記観点から、当該負荷を電源装置に追加接続する方がよい。【００１１】
また、停電継続中に負荷の消費電力が増加し、電源装置の出力能力を超えるおそれがある場合には、優先順位の低い順に電源装置から負荷を遮断する。このとき、負荷を遮断した結果、電源装置に余力が生じることがある。この場合、消費電力が電力装置の余力の範囲内である未接続の負荷が存在する場合には、そのような負荷を追加接続することが望ましい。【００１２】
本発明は上述したような問題に鑑みなされたものであり、本発明の課題は、電源装置に接続されている負荷の消費電力が変化した場合に、負荷に定められた優先順位のために電源装置に追加接続される負荷が必要以上に制限されるのを防止することができる電力供給制御装置を提供することにある。
【課題を解決するための手段】
【００１７】
上記課題を解決するために、本発明の第１の電力供給制御装置は、電源装置から複数の負荷への電力の供給を制御する電力供給制御装置であって、前記電源装置に前記複数の負荷を並列に接続するための回路と、前記回路に設けられ、前記電源装置と前記複数の負荷との間の接続、遮断をそれぞれ切り換える複数の開閉器と、前記複数の負荷のうちの一部を優先負荷とし、残部を非優先負荷とし、前記優先負荷に対してのみ優先順位を設定する優先順位設定部と、前記複数の負荷のうち、前記電源装置に接続されている負荷の消費電力の合計の変化を検出する電力検出部と、前記電力検出部の検出結果により、前記電源装置に接続されている負荷の消費電力の合計が減少した場合には、前記優先順位に従って１つの優先負荷を選択し、当該選択された優先負荷と接続対象として特定されている優先負荷と前記電源装置に接続されている負荷との消費電力の合計が、前記電源装置の出力能力に応じて設定された出力上限値以下である場合には、当該選択された優先負荷を接続対象として特定し、当該選択された優先負荷と接続対象として特定されている優先負荷と前記電源装置に接続されている負荷との消費電力の合計が前記出力上限値以下でない場合には、当該選択された優先負荷を接続対象として特定しないといった優先負荷特定処理を、前記電源装置から遮断されているすべての優先負荷に対して繰り返し行う優先負荷特定部と、前記優先負荷特定部により前記電源装置から遮断されているすべての優先負荷に対して前記優先負荷特定処理が行われた後、前記電源装置から遮断されている非優先負荷の中から消費電力の小さい順に１つの非優先負荷を選択し、当該選択された非優先負荷と接続対象として特定されている負荷と前記電源装置に接続されている負荷との消費電力の合計が前記出力上限値以下である限り、当該選択された非優先負荷を接続対象として特定する非優先負荷特定処理を繰り返し行う非優先負荷特定部と、前記優先負荷特定部および前記非優先負荷特定部により接続対象としてそれぞれ特定された負荷に対応する前記開閉器を切換制御し、当該接続対象として特定された負荷を前記電源装置に接続する切換制御部とを備えていることを特徴とする。
【００１８】
また、本発明の第２の電力供給制御装置は、上述した本発明の第１の電力供給制御装置において、前記電力検出部の検出結果により、前記電源装置に接続されている負荷の消費電力の合計が増加して前記出力上限値を超えた場合であって、前記電源装置に接続されている負荷に前記非優先負荷が含まれている場合には、前記非優先負荷特定部は、前記電源装置に接続されている非優先負荷のうち、消費電力の最も大きい非優先負荷を遮断対象として特定し、前記切換制御部は、前記非優先負荷特定部により遮断対象として特定された非優先負荷に対応する前記開閉器を切換制御し、当該遮断対象として特定された非優先負荷を前記電源装置から遮断することを特徴とする。
【００１９】
また、本発明の第３の電力供給制御装置は、上述した本発明の第１または第２の電力供給制御装置において、前記電力検出部の検出結果により、前記電源装置に接続されている負荷の消費電力の合計が増加して前記出力上限値を超えた場合であって、前記電源装置に接続されている負荷が前記優先負荷のみである場合には、前記優先負荷特定部は、前記電源装置に接続されている優先負荷のうち、前記優先順位の最も低い優先負荷を遮断対象として特定し、前記切換制御部は、前記優先負荷特定部により遮断対象として特定された優先負荷に対応する前記開閉器を切換制御し、当該遮断対象として特定された優先負荷を前記電源装置から遮断することを特徴とする。
【００２０】
また、本発明の第４の電力供給制御装置は、上述した本発明の第３の電力供給制御装置において、前記切換制御部により前記電源装置から負荷が遮断されたことによって前記電源装置に接続された負荷の消費電力の合計が前記出力上限値以下となったとき、前記優先負荷特定部および前記非優先負荷特定部は前記優先負荷特定処理および前記非優先負荷特定処理をそれぞれ実行し、前記切換制御部は当該優先負荷特定処理および当該非優先負荷特定処理により接続対象としてそれぞれ特定された負荷を前記電源装置に接続することを特徴とする。
【００２１】
また、本発明の第５の電力供給制御装置は、上述した本発明の第１ないし第４のいずれかの電力供給制御装置において、前記各負荷の消費電力を計測する計測部と、前記計測部により計測された前記各負荷の消費電力の計測値を記憶する記憶部とを備え、前記優先負荷特定部および前記非優先負荷特定部は、前記計測部により計測されて前記記憶部に記憶された前記各負荷の消費電力の計測値を用いて前記消費電力の合計をそれぞれ計算することを特徴とする。
【発明の効果】
【００２２】
本発明によれば、電源装置に接続されている負荷の消費電力が変化した場合に、負荷に定められた優先順位のために電源装置に追加接続される負荷が必要以上に制限されるのを防止することができる。
【図面の簡単な説明】
【００２３】
【図１】本発明の実施形態による電力供給制御装置を電源供給装置および負荷等と共に示す説明図である。
【図２】本発明の実施形態による電力供給制御装置において、停電発生時における負荷管理テーブルの一例を示す説明図である。
【図３】本発明の実施形態による電力供給制御装置における接続負荷特定処理を示すフローチャートである。
【図４】図３に続く接続負荷特定処理を示すフローチャートである。
【図５】本発明の実施形態による電力供給制御装置において、停電中の負荷の消費電力が減少したときの負荷管理テーブルの一例を示す説明図である。
【図６】本発明の実施形態による電力供給制御装置における追加負荷特定処理を示すフローチャートである。
【図７】本発明の実施形態による電力供給制御装置において、停電中の負荷の消費電力が増加したときの負荷管理テーブルの一例を示す説明図である。
【図８】本発明の実施形態による電力供給制御装置における遮断負荷特定処理を示すフローチャートである。
【発明を実施するための形態】
【００２４】
以下、本発明の実施の形態について図面を参照しながら説明する。
【００２５】
（電力供給制御装置）
図１は、本発明の実施形態による電力供給制御装置等を示している。図１において、本発明の実施形態による電力供給制御装置１は、停電により電力系統２から負荷Ｌ１〜Ｌ８への電力の供給が停止した際に、電源装置としての電源供給装置３から負荷Ｌ１〜Ｌ８への電力の供給を制御する装置である。本実施形態において、電力供給制御装置１は、需要家に設けられ、需要家において負荷Ｌ１〜Ｌ８への電力供給を制御する。
【００２６】
電力供給制御装置１は、分電盤４、パーソナルコンピュータ（以下、「ＰＣ」という。）５、および切換制御装置６を備えている。
【００２７】
分電盤４には、電力系統２が外部遮断器７等を介して接続されている。また、分電盤４には、電源供給装置３が接続されている。電源供給装置３は、例えば電気自動車８の蓄電池９に蓄えられた電力を取り出して分電盤４側に供給する装置である。
【００２８】
また、分電盤４には複数（例えば８つ）の負荷Ｌ１〜Ｌ８が接続されている。負荷Ｌ１〜Ｌ８には、例えば、照明、火災報知器、冷蔵庫、エアコンディショナ、テレビジョン装置等の電気機器が含まれる。
【００２９】
分電盤４内には、電力系統２からの電力および電源供給装置３からの電力を選択的に各負荷Ｌ１〜Ｌ８に供給するための電気回路１１が形成されている。電気回路１１は、基幹線路１２を備え、基幹線路１２には、電力系統２に接続された外部遮断器７と、電源供給装置３とが互いに並列に接続されている。また、基幹線路１２には分岐回路ユニット１３が接続されている。
【００３０】
分岐回路ユニット１３は、複数の負荷Ｌ１〜Ｌ８を基幹線路１２にそれぞれ接続するための複数の線路を備えており、これらの線路を介して負荷Ｌ１〜Ｌ８は基幹線路１２に並列にそれぞれ接続されている。
【００３１】
また、分岐回路ユニット１３において、負荷Ｌ１と基幹線路１２との間を接続する線路の途中には、負荷Ｌ１と基幹線路１２との間の接続、遮断を切り換える負荷開閉器２１が接続されている。負荷開閉器２１は例えば配線用遮断器である。また、負荷Ｌ１と基幹線路１２との間を接続する線路には、当該線路を通じて負荷Ｌ１へ流れ込む電流を計測する変流器（ＣＴ）３１が接続されている。これと同様に、負荷Ｌ２〜Ｌ８と基幹線路１２との間を接続する線路にも負荷開閉器２２〜２８および変流器３２〜３８がそれぞれ接続されている。なお、変流器３１〜３８はそれぞれ計測部の具体例である。
【００３２】
また、分電盤４内には、電力系統２と基幹線路１２との間の接続、遮断を切り換える電源遮断器１４が設けられている。電源遮断器１４は、例えばＵＶＴ（不足電圧引き外し装置）付き配線用遮断器である。電源遮断器１４は、通常時（電力系統稼働時）は閉じており、電力系統２と基幹線路１２との間を接続しているが、停電により電力系統２からの電力の供給が停止すると、これを検知して自動的に開き、電力系統２と基幹線路１２との間を遮断する。また、分電盤４内には、電力系統２から基幹線路１２へ流れ込む電流を計測する変流器１５が接続されている。
【００３３】
また、分電盤４内には、電源供給装置３と基幹線路１２との間の接続、遮断を切り換える投入スイッチ１６が設けられている。投入スイッチ１６は、例えば手動切換式の開閉器である。投入スイッチ１６は、通常時は開いており、電源供給装置３と基幹線路１２との間を遮断している。利用者は、投入スイッチ１６を手動で閉じ、電源供給装置３と基幹線路１２との間を接続することができる。
【００３４】
切換制御装置６は、ＰＣ５と共に分電盤４を制御する装置であり、その内部にはインターフェイス回路および制御回路等が設けられている。切換制御装置６には、ＰＣ５、変流器１５、電源遮断器１４、投入スイッチ１６、変流器３１〜３８、および負荷開閉器２１〜２８が接続されている。切換制御装置６は、変流器１５および変流器３１〜３８によりそれぞれ計測された電流値を、変流器１５および変流器３１〜３８から受け取り、これらをＰＣ５に出力する。また、切換制御装置６は、電源遮断器１４から出力されたトリップ信号を受け取り、受け取ったトリップ信号に対応する通知信号をＰＣ５に出力する。また、切換制御装置６は、投入スイッチ１６のオン、オフを検知し、検知結果に対応する検知信号をＰＣ５に出力する。また、切換制御装置６は、ＰＣ５から出力される指令信号を受け取り、受け取った指令信号に対応する制御信号を、負荷開閉器２１〜２８のうち、指令信号により指定された負荷開閉器に出力する。当該負荷開閉器は制御信号に従って開閉する。なお、切換制御装置６はＰＣ５と共に切換制御部の具体例である。
【００３５】
ＰＣ５はＣＰＵ（中央処理装置）４１および記憶部４２を備えている。また、ＰＣ５には、キーボード、ポインティングデバイス等からなる操作入力部４３、およびディスプレイ装置等からなる情報表示部４４を備えている。さらに、ＰＣ５は、切換制御装置６と情報の送受信を行うためのインタフェース（図示せず）等を有している。ＣＰＵ４１は、ＰＣ５に予めインストールされたコンピュータプログラムに従い、後述するように、（ａ）優先順位設定処理、（ｂ）消費電力算出処理、（ｃ）接続負荷特定処理、（ｄ）追加負荷特定処理、および（ｅ）遮断負荷特定処理を行う。記憶部４２は例えばハードディスクドライブ装置、フラッシュメモリ等の記憶装置である。記憶部４２には負荷管理テーブル（図２参照）が記憶される。なお、ＰＣ５は、優先順位設定部、電力検出部、負荷特定部、優先負荷特定部、および非優先負荷特定部の具体例である。
【００３６】
（負荷管理テーブル）
図２の上段は負荷管理テーブルの一例を示している。図２において、負荷管理テーブルＴ１は各負荷Ｌ１〜Ｌ８の管理状態を示すテーブルである。負荷管理テーブルＴ１において、「負荷番号」は、負荷Ｌ１〜Ｌ８のそれぞれを識別するための情報である。「優先／非優先」は、各負荷Ｌ１〜Ｌ８が優先順位の設定された負荷であるか、優先順位の設定されていない負荷であるかを示す情報である。「優先順位」は、優先順位が設定された各負荷の優先順位を示す情報である。「消費電力」は、各負荷Ｌ１〜Ｌ８の消費電力値である。「接続／遮断」は、各負荷Ｌ１〜Ｌ８が基幹線路１２と接続されているか、遮断されているかを示す情報である。「選択フラグ」は、後述する接続負荷特定処理、追加負荷設定処理および遮断負荷設定処理において、各負荷Ｌ１〜Ｌ８が選択されたか否かを示す情報である。なお、図２の下段、図５および図７に示す負荷管理テーブルＴ２〜Ｔ６は、図２の上段の負荷管理テーブルＴ１と同じものであるが、異なる時点の負荷管理テーブルであり、そのため、負荷管理テーブル中に記録された値がそれぞれ異なる。
【００３７】
（優先順位設定処理）
電力供給制御装置１は、ＰＣ５のＣＰＵ４１の制御のもと、優先順位設定処理を行う。優先順位設定処理は、利用者の入力に従い、各負荷Ｌ１〜Ｌ８についての優先、非優先の設定および優先順位の設定を行う処理である。
【００３８】
後述するように、接続負荷特定処理、追加負荷特定処理および遮断負荷特定処理では、負荷の消費電力が、電源供給装置３の出力能力に応じて設定された出力上限値以下となるように、基幹線路１２に接続しまたは基幹線路１２から遮断すべき負荷を特定する。その際、各負荷Ｌ１〜Ｌ８のうち、優先順位が設定されている負荷（以下、これを「優先負荷」という。）と、優先順位が設定されていない負荷（以下、これを「非優先負荷」という。）とで、基幹線路１２に接続しまたは基幹線路１２から遮断すべき負荷を特定する基準が異なる。また、負荷特定処理では、各優先負荷に設定された優先順位を考慮して基幹線路１２に接続しまたは基幹線路１２から遮断すべき優先負荷を特定する。そこで、電力供給制御装置１は、接続負荷特定処理、追加負荷特定処理および遮断負荷特定処理の実行に備えて、優先順位設定処理を行い、利用者の入力に従って、各負荷Ｌ１〜Ｌ８についての優先、非優先の設定、および優先負荷についての優先順位の設定を行う。
【００３９】
優先順位設定処理において、具体的には、ＰＣ５のＣＰＵ４１は、各負荷Ｌ１〜Ｌ８について、優先、非優先の設定入力、および優先負荷についての優先順位の設定入力を行うための設定入力画面をＰＣ５の情報表示部４４に表示する。ユーザは、設定入力画面を見ながら、ＰＣ５の操作入力部４３を操作し、各負荷Ｌ１〜Ｌ８について、優先、非優先の設定入力、および優先負荷についての優先順位の設定入力を行うことができる。ユーザにより入力された、各負荷Ｌ１〜Ｌ８についての優先、非優先の設定、および優先負荷についての優先順位の設定は、負荷管理テーブル（図２参照）の一部として記憶部４２に記憶される。
【００４０】
ユーザは、負荷Ｌ１〜Ｌ８のすべてに優先順位を設定することもできるし、負荷Ｌ１〜Ｌ８の中からいくつかの負荷を選んで、選んだ負荷に優先順位を設定し、残りの負荷に優先順位を設定しないこともできる。また、負荷Ｌ１〜Ｌ８のすべてに優先順位を設定しないこともできる。また、ユーザは、負荷Ｌ１〜Ｌ８についての優先、非優先の設定、および優先負荷についての優先順位の設定をいつでも変更することができる。
【００４１】
（消費電力算出処理）
また、電力供給制御装置１は、ＰＣ５のＣＰＵ４１の制御のもと、消費電力算出処理を行う。消費電力算出処理は、各負荷Ｌ１〜Ｌ８の消費電力を算出し、算出した各消費電力を記憶部４２に記憶する処理である。
【００４２】
後述する接続負荷特定処理、追加負荷特定処理および遮断負荷特定処理では、各負荷Ｌ１〜Ｌ８の消費電力を考慮して基幹線路１２に接続しまたは基幹線路１２から遮断すべき負荷を特定する。そこで、電力供給制御装置１は、消費電力算出処理を行い、各負荷Ｌ１〜Ｌ８の消費電力を算出する。なお、消費電力算出処理は停電中も行われる。
【００４３】
消費電力算出処理は例えば次のように行われる。すなわち、変流器３１〜３８は負荷Ｌ１〜Ｌ８に流れ込む電流を負荷ごとに常に計測し、計測した電流値を常に切換制御装置６に出力している。続いて、切換制御装置６は、変流器３１〜３８から出力された電流値を負荷ごとにＰＣ５に出力する。続いて、ＰＣ５はこれら電流値を受け取り、ＰＣ５のＣＰＵ４１は、受け取られた電流値を用いて負荷Ｌ１〜Ｌ８の消費電力を負荷ごとに算出する。ＣＰＵ４１は、各負荷Ｌ１〜Ｌ８について、消費電力の算出を連続的に行い、算出された消費電力の値を記憶部４２の一時記憶領域に所定の時間間隔（例えば１秒間隔）で記憶する。
【００４４】
各負荷Ｌ１〜Ｌ８の消費電力値は記憶部４２の一時記憶領域に蓄積される。ＣＰＵ４１は、所定時間ごと、例えば１０分ごとに、記憶部４２の一時記憶領域に蓄積された負荷Ｌ１の消費電力値を参照し、その時点から遡って１０分の間に蓄積された負荷Ｌ１の消費電力値のうち最大の消費電力値を特定し、特定した消費電力値を負荷管理テーブル（図２参照）の一部として記憶部４２の別の領域に記憶する。その直後、ＣＰＵ４１は、記憶部４２の一時記憶領域に蓄積された負荷Ｌ１の消費電力値をすべて消去する。ＣＰＵ４１は、記憶部４２の一時記憶領域に蓄積された各負荷Ｌ２〜Ｌ８の消費電力値についても同様の処理を行う。この結果、図２に示す負荷管理テーブルには、負荷Ｌ１〜Ｌ８の直近の１０分間における最大の消費電力値が負荷ごとに記録される。後述する接続負荷特定処理、追加負荷特定処理および遮断負荷特定処理において負荷の消費電量について計算が行われる際には、負荷管理テーブルに記録された最新の消費電力値が用いられる。
【００４５】
（接続負荷特定処理）
また、電力供給制御装置１は、ＰＣ５のＣＰＵ４１の制御のもと、接続負荷特定処理を行う。接続負荷特定処理は、停電発生時に、電源供給装置３から電力を供給すべき負荷を特定する処理である。具体的には、接続負荷特定処理は、停電により電力系統２が基幹線路１２から遮断され、かつ電源供給装置３が基幹線路１２に接続されたときに、基幹線路１２に接続すべき負荷を特定する処理である。
【００４６】
まず、接続負荷特定処理の基本的な内容を、第１の例を用いて説明する。図２の上段は第１の例における接続負荷特定処理の開始時の負荷管理テーブルを示し、図２の下段は第１の例における接続負荷特定処理の終了時の負荷管理テーブルを示している。
【００４７】
第１の例において、ユーザが事前に行った設定入力により、負荷Ｌ１〜Ｌ８のうち、負荷Ｌ１〜Ｌ４に優先順位が設定されており、負荷Ｌ５〜Ｌ８には優先順位が設定されていない。よって、負荷Ｌ１〜Ｌ４が優先負荷であり、負荷Ｌ５〜Ｌ８が非優先負荷である。また、優先負荷Ｌ１、Ｌ２、Ｌ３、Ｌ４には、この順序で優先順位が設定されている。また、負荷Ｌ１〜Ｌ８の消費電力は、順に、５００Ｗ、２００Ｗ、６００Ｗ、３００Ｗ、４００Ｗ、２００Ｗ、１００Ｗ、８０Ｗである。
【００４８】
このような状態において、停電発生時に接続負荷特定処理が開始されると、まず、負荷Ｌ１〜Ｌ８のすべてが基幹線路１２から遮断される。図２の上段の負荷管理テーブルＴ１は、この時点における負荷管理テーブルの状態を示している。なお、選択フラグについては後述する。
【００４９】
続いて、優先順位に従って１つの優先負荷が選択され、当該選択された優先負荷と接続対象として特定されている負荷との消費電力の合計が、電源供給装置３の出力能力に応じて予め設定された出力上限値以下である場合には、当該選択された優先負荷が接続対象として特定され、直ちに当該優先負荷が基幹線路１２に接続される。一方、当該選択された優先負荷と接続対象として特定されている負荷との消費電力の合計が出力上限値以下でない場合には、当該選択された優先負荷は接続対象として特定されない。この場合、当該優先負荷は基幹線路１２から遮断された状態が維持される。このような処理が、すべての優先負荷について、優先順位に従って順次繰り返し行われる。ここで、上記出力上限値は、例えば電源供給装置３の出力定格（例えば１５００Ｗ）以下の適切な値（例えば１２００Ｗ）である。なお、出力上限値を、電源供給装置３の出力定格よりも低い値としたのは、電源供給装置３からの電力により負荷が作動している間に、負荷の消費電力が増加しても、接続されている負荷の消費電力の合計が直ちに電源供給装置３の出力定格を超えることのないようにしたものである。
【００５０】
次に、消費電力の小さい順に１つの非優先負荷が選択され、当該選択された非優先負荷を接続対象として特定する処理が、当該選択された非優先負荷と接続対象として特定されている負荷との消費電力の合計が上記出力上限値以下である限り繰り返し行われる。なお、その間にすべての非優先負荷が選択された場合には当該処理は終了する。
【００５１】
これら２通りの処理につき、具体的に説明すると、まず、優先負荷特定処理において、優先負荷Ｌ１〜Ｌ４の中から、優先順位の最も高い優先負荷Ｌ１が選択される。優先負荷Ｌ１が選択された段階では、接続対象として特定されている負荷は存在しないので、この段階で、選択された優先負荷と接続対象として特定されている負荷との消費電力の合計は、優先負荷Ｌ１の消費電力に等しくなり、５００Ｗである。そして、この消費電力は、出力上限値である１２００Ｗ以下なので、優先負荷Ｌ１は接続対象として特定され、直ちに基幹線路１２に接続される。
【００５２】
続いて、優先順位が２番目に高い優先負荷Ｌ２が選択される。優先負荷Ｌ２が選択された段階で、接続対象として特定されている負荷は優先負荷Ｌ１である。そして、優先負荷Ｌ２と優先負荷Ｌ１との消費電力の合計は７００Ｗである。この消費電力は１２００Ｗ以下なので、優先負荷Ｌ２は接続対象として特定され、直ちに基幹線路１２に接続される。
【００５３】
続いて、優先順位が３番目に高い優先負荷Ｌ３が選択される。優先負荷Ｌ３が選択された段階で、接続対象として特定されている負荷は優先負荷Ｌ１およびＬ２である。
そして、優先負荷Ｌ３と優先負荷Ｌ１およびＬ２との消費電力の合計は１３００Ｗである。この消費電力は１２００Ｗを超えるので、優先負荷Ｌ３は接続対象として特定されない。この結果、優先負荷Ｌ３は基幹線路１２に接続されず、基幹線路１２から遮断された状態が維持される。
【００５４】
続いて、優先順位が４番目に高い優先負荷Ｌ４が選択される。優先負荷Ｌ４が選択された段階で、接続対象として特定されている負荷は優先負荷Ｌ１およびＬ２である。そして、優先負荷Ｌ４と優先負荷Ｌ１およびＬ２との消費電力の合計は１０００Ｗである。この消費電力は１２００Ｗ以下なので、優先負荷Ｌ４は接続対象として特定され、直ちに基幹線路１２に接続される。
【００５５】
続いて、非優先負荷Ｌ５〜Ｌ８の中から、消費電力の最も小さい非優先負荷Ｌ８が選択される。非優先負荷Ｌ８が選択された段階で、接続対象として特定されている負荷は優先負荷Ｌ１、Ｌ２およびＬ４である。そして、非優先負荷Ｌ８と優先負荷Ｌ１、Ｌ２およびＬ４との消費電力の合計は１０８０Ｗである。この消費電力は１２００Ｗ以下なので、非優先負荷Ｌ８は接続対象として特定され、直ちに基幹線路１２に接続される。
【００５６】
続いて、消費電力が２番目に小さい非優先負荷Ｌ７が選択される。非優先負荷Ｌ７が選択された段階で、接続対象として特定されている負荷は優先負荷Ｌ１、Ｌ２、Ｌ４および非優先負荷Ｌ８である。そして、非優先負荷Ｌ７と優先負荷Ｌ１、Ｌ２、Ｌ４および非優先負荷Ｌ８との消費電力の合計は１１８０Ｗである。この消費電力は１２００Ｗ以下なので、非優先負荷Ｌ７は接続対象として特定され、直ちに基幹線路１２に接続される。
【００５７】
続いて、消費電力が３番目に小さい非優先負荷Ｌ６が選択される。非優先負荷Ｌ６が選択された段階で、接続対象として特定されている負荷は優先負荷Ｌ１、Ｌ２、Ｌ４および非優先負荷Ｌ７、Ｌ８である。そして、非優先負荷Ｌ６と優先負荷Ｌ１、Ｌ２、Ｌ４および非優先負荷Ｌ７、Ｌ８との消費電力の合計は１３８０Ｗである。この消費電力は１２００Ｗを超えるので、非優先負荷Ｌ６は接続対象として特定されず、基幹線路１２から遮断された状態が維持される。そして、接続負荷特定処理は終了する。図２の下段の負荷管理テーブルＴ２は、この時点における負荷管理テーブルの状態を示している。
【００５８】
このように、接続負荷特定処理によれば、優先順位に従って負荷Ｌ１、Ｌ２を特定していき、続いて優先順位に従って次の負荷Ｌ３の特定を試みるが、負荷Ｌ３を特定すると、負荷Ｌ１〜Ｌ３の消費電力の合計が出力上限値を超えてしまうので、負荷Ｌ３を特定せずにとばし、優先順位のより低い負荷Ｌ４の特定を試みる。これにより、負荷Ｌ１およびＬ２に加え、負荷Ｌ４を特定し、これらを基幹線路１２に接続することができる。したがって、接続負荷特定処理によれば、単純に優先順位に従って負荷を接続する場合と比較して、より多くの負荷を接続することができる。また、優先順位が設定された負荷Ｌ１、Ｌ２およびＬ４について基幹線路１２に接続した時点で、電源供給装置３に２００Ｗの余力が残っているので、その余力の範囲内で、優先順位の設定されていない負荷Ｌ７およびＬ８を接続することができる。したがって、停電発生時において、負荷に設定された優先順位のために電源供給装置３に接続される負荷が必要以上に制限されるのを防止することができる。
【００５９】
次に、接続負荷特定処理の実現例を詳細に説明する。図３および図４は接続負荷特定処理の具体的な流れを示すフローチャートである。図３において、停電により電力系統２からの電力の供給が停止すると（ステップＳ１：ＹＥＳ）、電源遮断器１４がこれを検知して自動的に開き、電力系統２と基幹線路１２との間を遮断する（ステップＳ２）。
【００６０】
電源遮断器１４が開くと、電源遮断器１４から切換制御装置６にトリップ信号が出力され、トリップ信号に応じ、切換制御装置６からＰＣ５に通知信号が出力される。ＰＣ５は当該通知信号に基づき、電力系統２が停止したことを認識する。続いて、ＰＣ５は、すべての負荷開閉器２１〜２８を開くことを命じる指令信号を切換制御装置６に出力する。当該指令信号に応じ、切換制御装置６から各負荷開閉器２１に制御信号が出力され、当該制御信号に応じ、各負荷開閉器２１〜２８が開き、すべての負荷Ｌ１〜Ｌ８が基幹線路１２から遮断される。続いて、ＰＣ５のＣＰＵ４１は、すべての負荷Ｌ１〜Ｌ８の選択フラグをそれぞれオフにする（ステップＳ３）。
【００６１】
続いて、利用者が、電源供給装置３からの電力供給を開始すべく、投入スイッチ１６をオンにすると、切換制御装置６がその旨を検知して検知信号をＰＣ５に出力し、ＰＣ５のＣＰＵ４１は、当該検知信号に基づいて投入スイッチ１６がオンになったことを認識する（ステップＳ４：ＹＥＳ）。続いて、ＣＰＵ４１は、すべての負荷Ｌ１〜Ｌ８の消費電力の合計が上記出力上限値以下であるか否かを判断する（ステップＳ５）。そして、すべての負荷Ｌ１〜Ｌ８の消費電力の合計が出力上限値以下である場合には（ステップＳ５：ＹＥＳ）、ＣＰＵ４１は、すべての負荷開閉器２１〜２８を閉じることを命じる指令信号を切換制御装置６に出力する。当該指令信号に応じ、切換制御装置６から各負荷開閉器２１〜２８に制御信号が出力され、当該制御信号に応じて各負荷開閉器２１〜２８が閉じ、すべての負荷Ｌ１〜Ｌ８が基幹線路１２に接続される。続いて、ＣＰＵ４１は、すべての負荷Ｌ１〜Ｌ８の選択フラグをそれぞれオンにし（ステップＳ６）、接続負荷特定処理を終える。
【００６２】
一方、すべての負荷Ｌ１〜Ｌ８の消費電力の合計が出力上限値以下でない場合には（ステップＳ５：ＮＯ）、ＣＰＵ４１は、選択フラグがオフの優先負荷があるか否かを判断する（ステップＳ７）。そして、選択フラグがオフの優先負荷がある場合には（ステップＳ７：ＹＥＳ）、ＣＰＵ４１は、選択フラグがオフの優先負荷の中から優先順位が最も高い優先負荷を選択する（ステップＳ８）。
【００６３】
続いて、ＣＰＵ４１は、ステップＳ８で選択した優先負荷と、この時点で既に負荷開閉器が閉じて基幹線路１２に接続されている負荷との消費電力の合計が出力上限値以下であるか否かを判断する（ステップＳ９）。そして、ステップＳ８で選択した優先負荷と、この時点で既に負荷開閉器が閉じて基幹線路１２に接続されている負荷との消費電力の合計が出力上限値以下である場合には（ステップＳ９：ＹＥＳ）、ＣＰＵ４１は、ステップＳ８で選択した優先負荷に対応する負荷開閉器を閉じることを命じる指令信号を切換制御装置６に出力する。当該指令信号に応じ、切換制御装置６から当該負荷開閉器に制御信号が出力される。これにより、ステップＳ８で選択した優先負荷に対応する負荷開閉器が閉じ、ステップＳ８で選択した優先負荷が基幹線路１２に接続される。続いて、ＣＰＵ４１は、ステップＳ８で選択した優先負荷の選択フラグをオンにし（ステップＳ１０）、処理をステップＳ７へ戻す。
【００６４】
一方、ステップＳ８で選択した優先負荷と、この時点で既に負荷開閉器が閉じて基幹線路１２に接続されている負荷との消費電力の合計が出力上限値以下でない場合には（ステップＳ９：ＮＯ）、ＣＰＵ４１は、ステップＳ８で選択した優先負荷の選択フラグをオンにし（ステップＳ１０）、処理をステップＳ７へ戻す。この結果、ステップＳ８で選択した優先負荷については、基幹線路１２から遮断された状態が維持される。
【００６５】
他方、ステップＳ７において、選択フラグがオフの優先負荷がない場合には（ステップＳ７：ＮＯ）、ＣＰＵ４１は、図５に示すように、選択フラグがオフの非優先負荷があるか否かを判断する（ステップＳ１２）。そして、選択フラグがオフの非優先負荷がある場合には（ステップＳ１２：ＹＥＳ）、ＣＰＵ４１は、選択フラグがオフの非優先負荷の中から消費電力が最も小さい非優先負荷を選択する（ステップＳ１３）。
【００６６】
続いて、ＣＰＵ４１は、ステップＳ１３で選択した非優先負荷と、この時点で既に負荷開閉器が閉じて基幹線路１２に接続されている負荷との消費電力の合計が出力上限値以下であるか否かを判断する（ステップＳ１４）。そして、ステップＳ１３で選択した非優先負荷と、この時点で既に負荷開閉器が閉じて基幹線路１２に接続されている負荷との消費電力の合計が出力上限値以下である場合には（ステップＳ１４：ＹＥＳ）、ＣＰＵ４１は、ステップＳ１３で選択した非優先負荷に対応する負荷開閉器を閉じることを命じる指令信号を切換制御装置６に出力する。当該指令信号に応じ、切換制御装置６から当該負荷開閉器に制御信号が出力される。これにより、ステップＳ１３で選択した非優先負荷に対応する負荷開閉器が閉じ、ステップＳ１３で選択した非優先負荷が基幹線路１２に接続される。続いて、ＣＰＵ４１は、ステップＳ１３で選択した非優先負荷の選択フラグをオンにし（ステップＳ１５）、処理をステップＳ１２へ戻す。
【００６７】
一方、ステップＳ１３で選択した非優先負荷と、この時点で既に負荷開閉器が閉じて基幹線路１２に接続されている負荷との消費電力の合計が出力上限値以下でない場合には（ステップＳ１４：ＮＯ）、ＣＰＵ４１は、ステップＳ１３で選択した非優先負荷の選択フラグをオンにし（ステップＳ１６）、接続負荷特定処理を終える。この結果、ステップＳ１３で選択した非優先負荷については、基幹線路１２から遮断された状態が維持される。また、この接続負荷特定処理において選択されなかった非優先負荷についても、基幹線路１２から遮断された状態が維持される。
【００６８】
他方、ステップＳ１２において、選択フラグがオフの非優先負荷がない場合（ステップＳ１２：ＮＯ）、接続負荷特定処理は終了する。
【００６９】
（追加負荷特定処理）
また、電力供給制御装置１は、ＰＣ５のＣＰＵ４１の制御のもと、追加負荷特定処理を行う。追加負荷特定処理は、停電により、電力系統２が基幹線路１２から遮断され、かつ電源供給装置３が基幹線路１２に接続されている状態が続いている間、基幹線路１２に接続されている負荷の消費電力の合計が減少した場合に、基幹線路１２に追加接続すべき負荷を特定する処理である。追加負荷特定処理は、停電発生時において接続負荷特定処理が終了した後、直ちに開始され、停電が継続している間、例えば遮断負荷特定処理と交互に繰り返し行われる。
【００７０】
まず、追加負荷特定処理の基本的な内容を、第２の例を用いて説明する。図５の上段は、第２の例において、停電中に基幹線路１２に接続されている負荷の消費電力の合計が減少した時点の負荷管理テーブルを示している。また、図５の下段は、第２の例において、追加負荷特定処理が終了した時点の負荷管理テーブルを示している。
【００７１】
第２の例は、上述した第１の例の後に、基幹線路１２に接続された負荷の消費電力が減少した場合の例である。すなわち、図２の下段の負荷管理テーブルＴ２に示すように、負荷Ｌ１〜Ｌ４が優先負荷であり、負荷Ｌ５〜Ｌ８が非優先負荷であり、優先負荷Ｌ１、Ｌ２、Ｌ３、Ｌ４にはこの順に優先順位が設定され、負荷Ｌ１〜Ｌ８の消費電力は負荷管理テーブルＴ２に示す通りである。そして、停電の発生により、上述した接続負荷設定処理が行われた結果、接続負荷設定処理の終了時点において、負荷Ｌ１、Ｌ２、Ｌ４、Ｌ７およびＬ８が基幹線路１２に接続され、負荷Ｌ３、Ｌ５およびＬ６が基幹線路１２から遮断されている。この状態で停電が継続し、停電中に、基幹線路１２に接続されている負荷Ｌ１、Ｌ２、Ｌ４、Ｌ７およびＬ８の消費電力の合計が減少したとする。
【００７２】
追加負荷特定処理において、基幹線路１２に接続されている負荷の消費電力の合計が減少した場合には、その旨が検出され、それに応じ、基幹線路１２から遮断されている優先負荷の中から優先順位に従って１つの優先負荷が選択される。続いて、当該選択された優先負荷と、この時点で基幹線路１２に接続されている負荷との消費電力の合計が電源供給装置３の上記出力上限値以下である場合には、当該選択された優先負荷が接続対象として特定され、直ちに基幹線路１２に接続される。一方、当該選択された優先負荷と、この時点で基幹線路１２に接続されている負荷との消費電力の合計が出力上限値以下でない場合には、当該選択された優先負荷は接続対象として特定されない。この場合、当該優先負荷は基幹線路１２から遮断された状態が維持される。このような処理が、基幹線路１２から遮断されているすべての優先負荷に対して繰り返し行われる。
【００７３】
次に、基幹線路１２から遮断されている非優先負荷の中から、消費電力の小さい順に１つの非優先負荷を選択し、当該選択された非優先負荷を接続対象として特定する処理が、当該選択された非優先負荷と基幹線路１２に接続されている負荷との消費電力の合計が出力上限値以下である限り繰り返し行われる。なお、その間にすべての非優先負荷が選択された場合には当該処理は終了する。
【００７４】
図５の上段に示す例を用い、これら２通りの処理につき具体的に再度説明すると、基幹線路１２に接続されている負荷Ｌ１が５００Ｗから１００Ｗに減少し、これと同時に負荷Ｌ２が２００Ｗから１００Ｗに減少し、この結果、基幹線路１２に接続されている負荷Ｌ１、Ｌ２、Ｌ４、Ｌ７およびＬ８の消費電力の合計が１１８０Ｗから６８０Ｗに減少したとする。図５の上段の負荷管理テーブルＴ３は、この時点における負荷管理テーブルの状態を示している。
【００７５】
この場合、基幹線路１２に接続されている負荷Ｌ１、Ｌ２、Ｌ４、Ｌ７およびＬ８の消費電力の合計が減少したことが検出される。そして、これに応じ、基幹線路１２から遮断されている優先負荷の中から最も優先順位の高い優先負荷として、優先負荷Ｌ３が選択される。優先負荷Ｌ３が選択された段階で、基幹線路１２に接続されている負荷は、優先負荷Ｌ１、Ｌ２、Ｌ４、Ｌ７およびＬ８である。そして、優先負荷Ｌ３と負荷Ｌ１、Ｌ２、Ｌ４、Ｌ７およびＬ８との消費電力の合計は１２８０Ｗである。この消費電力は、出力上限値である１２００Ｗを超えるので、優先負荷Ｌ３は接続対象として特定されず、基幹線路１２から遮断された状態が維持される。
【００７６】
続いて、基幹線路１２から遮断されている非優先負荷Ｌ５およびＬ６の中から、消費電力の最も小さい非優先負荷Ｌ６が選択される。非優先負荷Ｌ６が選択された段階で、基幹線路１２に接続されている負荷は、優先負荷Ｌ１、Ｌ２、Ｌ４および非優先負荷Ｌ７、Ｌ８である。そして、非優先負荷Ｌ６と、優先負荷Ｌ１、Ｌ２、Ｌ４および非優先負荷Ｌ７、Ｌ８との消費電力の合計は８８０Ｗである。この消費電力は１２００Ｗ以下なので、非優先負荷Ｌ６は接続対象として特定され、直ちに基幹線路１２に接続される。
【００７７】
続いて、基幹線路１２から遮断されている非優先負荷Ｌ５が選択される。非優先負荷Ｌ５が選択された段階で、基幹線路１２に接続されている負荷は、優先負荷Ｌ１、Ｌ２、Ｌ４および非優先負荷Ｌ６〜Ｌ８である。そして、非優先負荷Ｌ５と、優先負荷Ｌ１、Ｌ２、Ｌ４および非優先負荷Ｌ６〜Ｌ８との消費電力の合計は１２８０Ｗとなる。この消費電力は１２００Ｗを超えるので、非優先負荷Ｌ５は接続対象として特定されず、基幹線路１２から遮断した状態が維持される。図５の下段の負荷管理テーブルＴ４は、この時点における負荷管理テーブルの状態を示している。
【００７８】
以上の追加負荷特定処理によれば、負荷Ｌ１およびＬ２の消費電力の減少によって電源供給装置３に余力が生じたとき、消費電力が余力の範囲を超える負荷Ｌ３を追加接続することはできないものの、消費電力が余力の範囲内である負荷Ｌ６を追加接続することができる。このように、追加負荷特定処理によれば、電源供給装置３の余力の範囲内で、できるだけ多くの負荷に電力を供給することができる。したがって、電源供給装置３の電力を有効利用を促進することができると共に、できるだけ多くの負荷を作動させて利用者の利便性を高めることができる。
【００７９】
次に、追加負荷特定処理の実現例を詳細に説明する。図６は追加負荷特定処理の具体的な流れを示すフローチャートである。図６において、停電により電力系統２が基幹線路１２から遮断され、かつ電源供給装置３が基幹線路１２に接続されている間、ＰＣ５のＣＰＵ４１は、基幹線路１２に接続されている負荷の消費電力の合計の減少を検出する（ステップＳ２１）。この検出は例えば次のように行われる。すなわち、上述したように、各負荷Ｌ１〜Ｌ８につき、所定時間における消費電力の最大値が記憶部４２に記憶される。この各負荷Ｌ１〜Ｌ８についての消費電力の最大値は、上記所定時間ごとに更新されるが、記憶部４２には、負荷Ｌ１〜Ｌ８についての消費電力の最大値につき、更新後の値だけでなく、更新前の値も記憶される。ＣＰＵ４１は、基幹線路１２に接続されている各負荷についての消費電力の最大値の更新前の値と更新後の値を記憶部４２から読み出し、これら２つの値の差に基づいて基幹線路１２に接続されている負荷の消費電力の合計の減少を検出する。
【００８０】
基幹線路１２に接続されている負荷の消費電力の合計が減少したことを検出したとき（ステップＳ２１：ＹＥＳ）、ＣＰＵ４１は、基幹線路１２から遮断されているすべての負荷の選択フラグをオフにする（ステップＳ２２）。
【００８１】
続いて、ＣＰＵ４１は、選択フラグがオフである優先負荷があるか否かを判断する（ステップＳ２３）。選択フラグがオフである優先負荷がある場合には（ステップＳ２３：ＹＥＳ）、ＣＰＵ４１は、選択フラグがオフである優先負荷の中から優先順位が最も高い優先負荷を選択する（ステップＳ２４）。
【００８２】
続いて、ＣＰＵ４１は、ステップＳ２４で選択した優先負荷と、この時点で既に負荷開閉器が閉じて基幹線路１２に接続されている負荷との消費電力の合計が出力上限値以下であるか否かを判断する（ステップＳ２５）。そして、ステップＳ２４で選択した優先負荷と、この時点で既に負荷開閉器が閉じて基幹線路１２に接続されている負荷との消費電力の合計が出力上限値以下である場合には（ステップＳ２５：ＹＥＳ）、ＣＰＵ４１は、ステップＳ２４で選択した優先負荷に対応する負荷開閉器を閉じることを命じる指令信号を切換制御装置６に出力する。当該指令信号に応じ、切換制御装置６から当該負荷開閉器に制御信号が出力される。これにより、ステップＳ２４で選択した優先負荷に対応する負荷開閉器が閉じ、ステップＳ２４で選択した優先負荷が基幹線路１２に接続される。続いて、ＣＰＵ４１は、ステップＳ２４で選択した優先負荷の選択フラグをオンにし（ステップＳ２６）、処理をステップＳ２３へ戻す。
【００８３】
一方、ステップＳ２４で選択した優先負荷と、この時点で既に負荷開閉器が閉じて基幹線路１２に接続されている負荷との消費電力の合計が出力上限値以下でない場合には（ステップＳ２５：ＮＯ）、ＣＰＵ４１は、ステップＳ２４で選択した優先負荷の選択フラグをオンにし（ステップＳ２７）、処理をステップＳ２３へ戻す。この結果、ステップＳ２４で選択した優先負荷については、基幹線路１２から遮断された状態が維持される。
【００８４】
他方、ステップＳ２３において、選択フラグがオフの優先負荷がない場合には（ステップＳ２３：ＮＯ）、ＣＰＵ４１は、選択フラグがオフの非優先負荷があるか否かを判断する（ステップＳ２８）。そして、選択フラグがオフの非優先負荷がある場合には（ステップＳ２８：ＹＥＳ）、ＣＰＵ４１は、選択フラグがオフの非優先負荷の中から消費電力が最も小さい非優先負荷を選択する（ステップＳ２９）。
【００８５】
続いて、ＣＰＵ４１は、ステップＳ２９で選択した非優先負荷と、この時点で既に負荷開閉器が閉じて基幹線路１２に接続されている負荷との消費電力の合計が出力上限値以下であるか否かを判断する（ステップＳ３０）。そして、ステップＳ２９で選択した非優先負荷と、この時点で既に負荷開閉器が閉じて基幹線路１２に接続されている負荷との消費電力の合計が出力上限値以下である場合には（ステップＳ３０：ＹＥＳ）、ＣＰＵ４１は、ステップＳ２９で選択した非優先負荷に対応する負荷開閉器を閉じることを命じる指令信号を切換制御装置６に出力する。当該指令信号に応じ、切換制御装置６から当該負荷開閉器に制御信号が出力される。これにより、ステップＳ２９で選択した非優先負荷に対応する負荷開閉器が閉じ、ステップＳ２９で選択した非優先負荷が基幹線路１２に接続される。続いて、ＣＰＵ４１は、ステップＳ２９で選択した非優先負荷の選択フラグをオンにし（ステップＳ３１）、処理をステップＳ２８へ戻す。
【００８６】
一方、ステップＳ２９で選択した非優先負荷と、この時点で既に負荷開閉器が閉じて基幹線路１２に接続されている負荷との消費電力の合計が出力上限値以下でない場合には（ステップＳ３０：ＮＯ）、ＣＰＵ４１は、ステップＳ２９で選択した非優先負荷の選択フラグをオンにし（ステップＳ３２）、追加負荷特定処理を終える。この結果、ステップＳ２９で選択した非優先負荷については、基幹線路１２から遮断された状態が維持される。
【００８７】
他方、ステップＳ２８において、選択フラグがオフの非優先負荷がない場合（ステップＳ２８：ＮＯ）、追加負荷特定処理は終了する。
【００８８】
（遮断負荷特定処理）
また、電力供給制御装置１は、ＰＣ５のＣＰＵ４１の制御のもと、遮断負荷特定処理を行う。遮断負荷特定処理は、停電により、電力系統２が基幹線路１２から遮断され、かつ電源供給装置３が基幹線路１２に接続されている状態が続いている間、基幹線路１２に接続されている負荷の消費電力の合計が増加して電源供給装置３の出力上限値を超えた場合には、基幹線路１２から遮断すべき負荷を特定する処理である。また、遮断負荷特定処理では、基幹線路１２に接続されている負荷の消費電力の合計の増加して出力上限値を超えたことに応じ、負荷を基幹線路１２から遮断した後、その時点で基幹線路１２から遮断されている負荷の中から、消費電力がより小さい負荷の追加接続を試みる。遮断負荷特定処理は、停電発生時において接続負荷特定処理が終了した後、直ちに開始され、停電が継続している間、例えば追加負荷特定処理と交互に繰り返し行われる。
【００８９】
まず、遮断負荷特定処理の基本的な内容を、第３の例を用いて説明する。図７の上段は、第３の例において、停電中に基幹線路１２に接続されている負荷の消費電力の合計が増加した時点の負荷管理テーブルを示している。また、図７の下段は、第３の例において、遮断負荷特定処理が終了した時点の負荷管理テーブルを示している。
【００９０】
第３の例は、上述した第１の例の後に、基幹線路１２に接続された負荷の消費電力が増加した場合の例である。すなわち、図２の下段の負荷管理テーブルＴ２に示すように、負荷Ｌ１〜Ｌ４が優先負荷であり、負荷Ｌ５〜Ｌ８が非優先負荷であり、優先負荷Ｌ１、Ｌ２、Ｌ３、Ｌ４にはこの順に優先順位が設定され、負荷Ｌ１〜Ｌ８の消費電力は負荷管理テーブルＴ２に示す通りである。そして、停電の発生により、上述した接続負荷設定処理が行われた結果、接続負荷設定処理の終了時点において、負荷Ｌ１、Ｌ２、Ｌ４、Ｌ７およびＬ８が基幹線路１２に接続され、負荷Ｌ３、Ｌ５およびＬ６が基幹線路１２から遮断されている。この状態で停電が継続し、停電中に、基幹線路１２に接続されている負荷Ｌ１、Ｌ２、Ｌ４、Ｌ７およびＬ８の消費電力の合計が増加し、電源供給装置３の出力上限値を超えたとする。
【００９１】
遮断負荷特定処理において、基幹線路１２に接続されている負荷の消費電力の合計が増加し、出力上限値を超えた場合には、その旨が検出され、このとき、基幹線路１２に接続されている負荷に非優先負荷が含まれている場合には、基幹線路１２に接続されている非優先負荷のうち、消費電力の最も大きい非優先負荷が遮断対象として特定され、直ちに基幹線路１２から遮断される。
【００９２】
一方、基幹線路１２に接続されている負荷の消費電力の合計が出力上限値を超えたとき、基幹線路１２に接続されている負荷が優先負荷のみである場合には、基幹線路１２に接続されている優先負荷のうち、優先順位の最も低い優先負荷が遮断対象として特定され、直ちに基幹線路１２から遮断される。
【００９３】
このような負荷の遮断により、基幹線路１２に接続されている負荷の消費電力の合計が出力上限値未満となったとき、上述した追加負荷特定処理が行われ、基幹線路１２に接続されている負荷および追加接続される負荷の消費電力の合計が出力上限値を超えないように、負荷が基幹線路１２に追加接続される。
【００９４】
図７の上段に示す例を用い、これら３通りの処理につき具体的に再度説明すると、基幹線路１２に接続されている負荷Ｌ１が５００Ｗから８００Ｗに増加し、この結果、基幹線路１２に接続されている負荷Ｌ１、Ｌ２、Ｌ４、Ｌ７およびＬ８の消費電力の合計が１１８０Ｗから１４８０Ｗに増加し、出力上限値である１２００Ｗを超えたとする。図７の上段の負荷管理テーブルＴ５は、この時点における負荷管理テーブルの状態を示している。
【００９５】
この場合、基幹線路１２に接続されている負荷Ｌ１、Ｌ２、Ｌ４、Ｌ７およびＬ８の消費電力の合計が増加し、出力上限値である１２００Ｗを超えたことが検出される。このとき、基幹線路１２に接続されている負荷には非優先負荷Ｌ７およびＬ８が含まれているので、非優先負荷Ｌ７およびＬ８のうち、消費電力の最も大きい非優先負荷Ｌ７が遮断対象として特定され、直ちに基幹線路１２から遮断される。
【００９６】
非優先負荷Ｌ７の遮断により、基幹線路１２に接続されている負荷の消費電力の合計は１３８０Ｗとなるが、この消費電力はまだ１２００Ｗを超えているので、この段階で、基幹線路１２に接続されている非優先負荷のうち消費電力の最も大きい非優先負荷Ｌ８が遮断対象として特定され、直ちに基幹線路１２から遮断される。
【００９７】
非優先負荷Ｌ８の遮断により、基幹線路１２に接続されている負荷の消費電力の合計は１３００Ｗとなるが、この消費電力はまだ１２００Ｗを超えている。そして、この段階で、基幹線路１２に接続されている負荷Ｌ１、Ｌ２およびＬ４はすべて優先負荷である。この場合、優先負荷Ｌ１、Ｌ２およびＬ４のうち、優先順位の最も低い優先負荷Ｌ４が遮断対象として特定され、直ちに基幹線路１２から遮断される。
【００９８】
優先負荷Ｌ４の遮断により、基幹線路１２に接続されている負荷の消費電力の合計は１０００Ｗになり、１２００Ｗ以下となる。この段階で、基幹線路１２に接続されている負荷の消費電力の合計と出力上限値との間に２００Ｗの差があるので、消費電力が２００Ｗ以下の負荷を基幹線路１２に追加接続することが可能である。そこで、上述した追加負荷特定処理が行われ、その結果、非優先負荷Ｌ７およびＬ８が追加接続される。図７の下段の負荷管理テーブルＴ６は、この時点における負荷管理テーブルの状態を示している。
【００９９】
以上の遮断負荷特定処理によれば、負荷Ｌ１の消費電力が増加し、出力上限値を超えた場合には、負荷Ｌ４、Ｌ７およびＬ８を基幹線路１２から遮断して基幹線路１２に接続されている負荷の消費電力を出力上限値以下に下げるだけでなく、その後、電源供給装置３の余力の範囲内で負荷Ｌ７およびＬ８を再度接続することができる。このように、遮断負荷特定処理によれば、電源供給装置３に接続される負荷の超過を解消しながらも、電源供給装置３の余力の範囲内で、できる限り多くの負荷を電源供給装置３に接続することができる。したがって、電源供給装置３の電力を有効利用を促進することができると共に、できるだけ多くの負荷を作動させて利用者の利便性を高めることができる。
【０１００】
次に、遮断負荷特定処理の実現例を詳細に説明する。図８は遮断負荷特定処理の具体的な流れを示すフローチャートである。図８において、停電により電力系統２が基幹線路１２から遮断され、かつ電源供給装置３が基幹線路１２に接続されている間、ＰＣ５のＣＰＵ４１は、基幹線路１２に接続されている負荷の消費電力の合計が増加し、出力上限値を超えたことを検出する（ステップＳ４１：ＹＥＳ）。基幹線路１２に接続されている負荷の消費電力の合計の増加を検出する方法は、基幹線路１２に接続されている負荷の消費電力の合計の減少を検出する方法と同じであり、上述した通りである。続いて、ＣＰＵ４１は、基幹線路１２から遮断されているすべての負荷の選択フラグをオフにする（ステップＳ４２）。
【０１０１】
続いて、ＣＰＵ４１は、基幹線路１２に接続された負荷の中に非優先負荷があるか否かを判断する（ステップＳ４３）。基幹線路１２に接続された負荷の中に非優先負荷がある場合には（ステップＳ４３：ＹＥＳ）、ＣＰＵ４１は、基幹線路１２に接続された非優先負荷のうち、消費電力が最も大きい非優先負荷を基幹線路１２から遮断する（ステップＳ４４）。具体的には、ＣＰＵ４１は、当該非優先負荷に対応する負荷開閉器を開くことを命じる指令信号を切換制御装置６に出力する。当該指令信号に応じ、切換制御装置６から当該負荷開閉器に制御信号が出力され、これにより、当該負荷開閉器が開き、当該非優先負荷が基幹線路１２から遮断される。
【０１０２】
続いて、ＣＰＵ４１は、ステップＳ４４で非優先負荷が遮断された段階で、基幹線路１２に接続されている負荷の消費電力の合計が出力上限値以下であるか否かを判断する（ステップＳ４５）。基幹線路１２に接続されている負荷の消費電力の合計が出力上限値以下である場合には（ステップＳ４５：ＹＥＳ）、ＣＰＵ４１は処理をステップＳ４８へ移行させる。一方、基幹線路１２に接続されている負荷の消費電力の合計が出力上限値以下でない場合には（ステップＳ４５：ＮＯ）、ＣＰＵ４１は処理をステップＳ４３へ戻す。
【０１０３】
一方、ステップＳ４３において、基幹線路１２に接続された負荷の中に非優先負荷がない場合には（ステップＳ４３：ＮＯ）、基幹線路１２に接続されている負荷は優先負荷のみであるので、ＣＰＵ４１は、基幹線路１２に接続されている優先負荷のうち、優先順位が最も低い優先負荷を基幹線路１２から遮断する（ステップＳ４６）。すなわち、ＣＰＵ４１は、当該優先負荷に対応する負荷開閉器を開くことを命じる指令信号を切換制御装置６に出力する。当該指令信号に応じ、切換制御装置６から当該負荷開閉器に制御信号が出力され、これにより、当該負荷開閉器が開き、当該優先負荷が基幹線路１２から遮断される。
【０１０４】
続いて、ＣＰＵ４１は、ステップＳ４６で優先負荷が遮断された段階で、基幹線路１２に接続されている負荷の消費電力の合計が出力上限値以下であるか否かを判断する（ステップＳ４７）。基幹線路１２に接続されている負荷の消費電力の合計が出力上限値以下でない場合には（ステップＳ４７：ＮＯ）、ＣＰＵ４１は処理をステップＳ４６へ戻す。一方、基幹線路１２に接続されている負荷の消費電力の合計が出力上限値以下である場合には（ステップＳ４７：ＹＥＳ）、ＣＰＵ４１は処理をステップＳ４８へ移行させる。
【０１０５】
続いて、ステップＳ４８において、ＣＰＵ４１は、この段階で、基幹線路１２に接続されている負荷の消費電力の合計が出力上限値未満であるか否かを判断し、基幹線路１２に接続されている負荷の消費電力の合計が出力上限値未満である場合には（ステップＳ４８：ＹＥＳ）、追加負荷特定処理（図６中のステップＳ２２〜Ｓ３２）を実行する（ステップＳ４９）。そして、遮断負荷特定処理は終了する。
【０１０６】
以上説明した通り、本発明の電力供給制御装置１によれば、停電中に基幹線路１２に接続されている負荷の消費電力が変化した場合に、負荷に定められた優先順位のために基幹線路１２に追加接続または再接続される負荷が必要以上に制限されるのを防止することができる。これにより、電源供給装置３の出力能力の範囲内で、できる限り多くの負荷を接続することができ、電源供給装置３の電力の有効利用を促進し、また、できるだけ多くの負荷を作動させて利用者の利便性を向上させることができる。
【０１０７】
また、電力供給制御装置１によれば、変流器３１〜３８により負荷Ｌ１〜Ｌ８の実際の消費電力を取得し、これらを記憶しておき、接続負荷特定処理、追加負荷特定処理および遮断負荷特定処理では、これら取得された負荷Ｌ１〜Ｌ８の実際の消費電力を用いて負荷の基幹線路１２に対する接続、遮断を行うか否かを判断する。したがって、負荷Ｌ１〜Ｌ８の具体的な状況に応じて負荷の接続、遮断を行うことができ、様々な状況に応じた柔軟かつ高精度な電力供給制御を実現することができる。
【０１０８】
なお、上述した実施形態では、電源装置として、電気自動車８の蓄電池９に蓄えられた電力を取り出して分電盤４側に供給する電源供給装置３を用いる場合を例にあげたが、本発明はこれに限らない。例えば蓄電池または発電装置等を電源装置として用いてもよい。
【０１０９】
また、上述した実施形態では、接続負荷特定処理、追加負荷特定処理および遮断負荷特定処理において、負荷を接続対象、追加接続対象または遮断対象として特定するたびに、直ちにその負荷を基幹線路１２に接続し、または基幹線路１２から遮断する場合を例にあげたが、本発明はこれに限らない。例えば、接続負荷特定処理において基幹線路１２に接続すべきすべての負荷の特定が終了した後に、特定したすべての負荷を基幹線路１２に接続してもよいし、追加負荷特定処理において基幹線路１２に追加接続すべきすべての負荷の特定が終了した後に、特定したすべての負荷を基幹線路１２に接続してもよい。また、遮断負荷特定処理において基幹線路１２から遮断すべきすべての負荷、および基幹線路１２に再接続すべきすべての負荷の特定が終了した後に、特定したすべての負荷の基幹線路１２に対する接続、遮断を行ってもよい。
【０１１０】
また、上述した実施形態では、追加負荷特定処理および遮断負荷特定処理を停電中に行う場合を例にあげたが、本発明はこれに限らない。停電以外の理由で電力系統が停止している期間中に追加負荷特定処理および遮断負荷特定処理を行ってもよいし，電力系統が稼動している期間中に電源供給装置の出力上限値の代わりに電力系統の供給電力の上限値を用いて追加負荷特定処理および遮断負荷特定処理を行ってもよい。
【０１１１】
また、本発明は、請求の範囲および明細書全体から読み取ることのできる発明の要旨または思想に反しない範囲で適宜変更可能であり、そのような変更を伴う電力供給制御装置もまた本発明の技術思想に含まれる。
【符号の説明】
【０１１２】
１  電源供給制御装置
２  電力系統
３  電源供給装置（電源装置）
４  分電盤
５  パーソナルコンピュータ（切換制御部）
６  切換制御装置（切換制御部）
７  外部遮断器
１１  電気回路（回路）
１２  基幹線路
１３  分岐ユニット
１５  変流器
２１〜２８  負荷開閉器（開閉器）
３１〜３８  変流器（計測部）
４１  ＣＰＵ（優先順位設定部、電力検出部、負荷特定部、優先負荷特定部、非優先負荷特定部）
４２  記憶部
Ｌ１〜Ｌ８  負荷
【要約】
【課題】電源装置に接続されている負荷の消費電力が変化した場合に、負荷に定められた優先順位のために電源装置に追加接続される負荷が必要以上に制限されるのを防止する。
【解決手段】停電中、電源供給装置３に接続されている負荷の消費電力の合計が減少した場合、優先順位が定められている優先負荷については、追加接続すべき負荷を優先順位に従って特定してくが、特定した負荷の消費電力の合計が電源供給装置３の出力上限値を超える場合には、優先順位に従って特定すべき負荷をとばし、優先順位がより低い負荷の特定を試みる。また、優先順位が定められていない非優先負荷については、追加接続すべき負荷を消費電力が小さい順に特定する。一方、電源供給装置３に接続されている負荷の消費電力の合計が増加し、電源供給装置３の出力上限値を超えた場合、非優先負荷については消費電力の大きい順に遮断し、優先負荷については優先順位の低い順に遮断する。【図１】
0005586812.tif 000002
【図２】
0005586812.tif 000003
【図３】
0005586812.tif 000004
【図４】
0005586812.tif 000005
【図５】
0005586812.tif 000006
【図６】
0005586812.tif 000007
【図７】
0005586812.tif 000008
【図８】
0005586812.tif 000009